(57)【要約】 【課題】  悪戯による開扉時の仮施錠を外部から手動で強制的に解除すること。【解決手段】  引戸を閉めると、戸枠側の受け金具に当たって錠箱内に後退するトリガー、固定軸に軸支されかつトリガーの後退動に連動して前記受け金具に係合する方向へ回転する鎌片をそれぞれ備える引戸錠に於いて、前記トリガーの一辺に形成した仮止め用係合部分に係合するラッチ板５３を備えたラッチング機構Ｚを錠箱内に配設し、一方、該ラッチング機構の前方に位置する錠箱のフロント１１の部位に開口部１１ａを形成し、この開口部とラッチング機構Ｚの構成部材との間の空間部分７にラッチ強制解除手段７１を配設し、該ラッチ強制解除手段の前記開口部側に位置する操作部分７１ａを外部から操作して前記ラッチ板を強制的に解除し得ることを特徴とする引戸錠。【選択図】  図１９
2006225979.tif 000002
【特許請求の範囲】
【請求項１】
引戸を閉めると、戸枠側の受け金具に当たって錠箱内に後退するトリガー、固定軸に軸支されかつトリガーの後退動に連動して前記受け金具に係合する方向へ回転する鎌片をそれぞれ備える引戸錠に於いて、前記トリガーの一辺に形成した仮止め用係合部分に係合するラッチ板５３を備えたラッチング機構Ｚを錠箱内に配設し、一方、該ラッチング機構の前方に位置する錠箱のフロント１１の部位に開口部１１ａを形成し、この開口部とラッチング機構Ｚの構成部材との間の空間部分７にラッチ強制解除手段７１を配設し、該ラッチ強制解除手段の前記開口部側に位置する操作部分７１ａを外部から操作して前記ラッチ板を強制的に解除し得ることを特徴とする引戸錠。
【請求項２】
請求項１に於いて、ラッチ強制解除手段は、錠箱のフロント１１付近に設けられた横軸７２を介して回転自在に設けられていることを特徴とする引戸錠。
【請求項３】
請求項１又は請求項２に於いて、ラッチ強制解除手段は、指を開いたような外観形状をし、一方の指７１ａはフロント１１の開口部１１ａ側に位置する操作部分であり、他方の指７１ｂはラッチ板５３を軸支する可動支持板５１に係合していることを特徴とする引戸錠。
【請求項４】
請求項３に於いて、操作部分７１ａとしての一方の指の外面には、工具Ｔの先端部が係合可能な係合部７４が形成されていることを特徴とする引戸錠。
【請求項５】
請求項１に於いて、ラッチング機構Ｚは、ユニット部材であり、該ユニット部材は、水平可動軸５２を有すると共に、垂直方向に移動可能な支持片５１と、前記水平可動軸に軸支され、かつ、トリガーの一辺に形成された仮止め用係合部分３５と係合可能な係止爪部５３ａを有するラッチ板５３と、前記可動支持片５１に組み込まれ、かつ、前記ラッチ板を係合可能な位置へ付勢する仮止め用バネ５４とを含み、さらに、可動支持片５１を常時付勢するバネ５７は、可動支持片５１を上下方向に案内するガイド部材５６に巻装されていることを特徴とする引戸錠。
【請求項６】
請求項１に於いて、トリガー３１の仮止め用係合部分は、段階的に複数個形成されていることを特徴とする引戸錠。
【発明の詳細な説明】
【技術分野】
【０００１】
本発明は、引戸を閉めると、戸枠側の受け金具に当たって錠箱内に後退するトリガー、該トリガーに連動する鎌片を備えた引戸錠に関する。
【背景技術】
【０００２】
錠箱のフロントから受け金具に向かって突出するトリガー（水平突出杆）と、このトリガーの後退動に連動して前記受け金具に係合する方向へ回転する鎌片を備えた建具用引戸錠は、例えば実開昭５７−１１０２６０号公報（特許文献１）に記載されている。
【０００３】
この種の引戸錠は、引戸の閉戸時、トリガーはその先端面がストライクの表面に突き当たると後退し始め、鎌片は動力変換機構（例えばラック及びピニオン）を介して掛合方向へと突出する。
【０００４】
ところで、トリガーに連動する鎌片を備えた引戸錠は、引戸を閉めた時の跳ね返り現象が発生するので、その防止策として錠箱内にラッチング機構（仮施錠機構）を設ける場合が多い。ラッチング機構の一例は特許文献２に記載されている。
【０００５】
出願人は、ラッチング機構を備えた公開前（現時点では未公開）の引戸錠を日本国特許庁に申請中である。その中に、仮施錠状態、或いは本施錠状態にした場合であっても、引戸をさらにチリを狭める方向に移動させることができるようにした発明がある。図１乃至図１０に記載の発明は、その一つである。本発明は、この未公開発明の問題点を解消するために提案するものなので、まず、ここで先願発明の構成を詳細に説明し、先願発明と同一構・作用効果は援用することにする。
【０００６】
（１）発明の実施の環境
まず図１及び図２を参照に本願発明に関連する発明の実施の環境について説明する。Ｘは、例えば引戸１の中に収められる彫り込み型の引戸錠である。一方、Ｙは戸枠２に固定的に取付けられた受け金具である。受け金具Ｙは、ボックス部を有するトロヨケ３と、このトロヨケ３の開口に重ね合わせられたストライク（受座）４とから成る。ストライク４は縦長の板状に形成され、複数個の固着手段５を介してトロヨケ３の耳状の取り付け部に固定される。ストライク（受座）４の表面にトリガー３１の先端部が当接可能である。この実施例では、閉戸時、チリがあっても、引戸１を閉めることが可能であり、引戸１を閉めると、チリがなくなる。すなわち、閉戸時、長板状のストライク４の表面に引戸１の先端面が当接可能である。その際、トリガー３１及び鎌片４３は錠箱１０内に後退可能である。
【０００７】
（２）錠箱
次に錠箱について説明する。１０は錠箱で、この錠箱１０は、ケース身１０ａと、ケース蓋１０ｂとから成る。１１はフロントで、このフロント１１は、フロント前壁１２に固定されている。ここでは、フロント前壁１２もフロント１１の用語に含まれる。１３は複数個の第２固着手段である。１４は鎌片用出入り窓で、この出入り窓１４には、トリガーを案内する角筒状のトリガー支持部材１５が取り付けら、該トリガー支持部材１５の先端部寄りの部位に位置決め突起１６や取付け部分が設けられている。位置決め突起１６は、フロント１１に当接することができるように上下対称、鍔状など適宜形状に形成され、先端部側は、図２で示すようにフロント１１に嵌め込まれている。
【０００８】
（３）ケース身とケース蓋
図３はケース身１０ａの正面図である。ここで、図１乃至図３を参照にしてケース身１０ａ及びケース蓋１０ｂに形成された主な取付け部（例えば側壁開口部、ガイド孔、軸孔、取付け孔等）ついて説明する。なお、後述の本願発明では、錠箱１０のフロント１１の開口部１１ａ側にラッチ強制解除手段７１が配設されるので、横軸７２用の軸孔７３が形成される。
【０００９】
さて、符号１８は、図１及び図３で示すように、錠箱１０の上部側に形成された複数個（例えば２個）の貫通孔で、これらの貫通孔１８には、図９に示す引戸壁面側の取付け座６７のパイプ状連結杆６８が嵌挿する。
【００１０】
次に１９は、前記貫通孔１８の上位に形成された側壁開口部で、該側壁開口部１９は、施錠片６１の矩形状係合窓６３と対向可能である。したがって、図９に示すように前記取付け座６７に軸支された押圧腕部材６９は、錠箱１０の側壁開口部１９を介して該錠箱内に挿入され、かつ、施錠片６１の係合窓６３に係合する。この実施例では、図１０で示すように、押圧腕部材６９の板状操作部分６９ｂがスイングすると、前記施錠片６１が上下方向にスライド可能である。
【００１１】
次に２０は、錠箱１０の中央部に形成された横長案内長孔で、この横長案内長孔２０は、フロント１１側の弧状案内部２０ａと、これに連続する直線案内部２０ｂとから成る。この横長案内長孔２０には、鎌片４３の後端部に固定的に設けられた可動軸２１が係合する。
【００１２】
次に２２は弧状案内部２０ａの直ぐ下方に設けられた円形軸孔で、この円形軸孔２２には、鎌片４３を案内する固定軸２３が設けられている。鎌片用の固定軸２３は、後述する鎌片長孔４４を介して錠箱１０に横設軸架されている。
【００１３】
次に２４は弧状案内部２０ａとフロント１１との間に形成された矩形小孔状の第１取付け部で、この第１取付け部２４には、前述したトリガー支持部材１５が適宜に取り付けられる。したがって、第１取付け部２４は、弧状案内部２０ａよりも若干上位のフロント１１寄りの部位に形成されている。
【００１４】
次に２５は弧状案内部２０ａとケース身１０ａの上壁との間に形成された垂直案内部（例えば長孔）で、この垂直案内長孔２５には、後述のラッチング機構Ｚを構成する水平可動軸５２が取り付けられる。付言すると、本実施例のラッチング機構Ｚは一組のユニット部材であることから、案内長孔２５は、ユニット部材Ｚを錠箱１０内に組み込むことができるようにケース身１０ａの上壁付近に形成された矩形小孔状の第２取付け部２６と弧状案内部２０ａとの間に位置するように形成されている。前記矩形小孔状の第２取付け部２６には、ユニット部材Ｚの一部を構成し、かつ、ユニット部材の枠状支持片５１を上下方向に案内するガイド部材（垂直軸部材）が適宜に取り付けられる。
【００１５】
次に２７はフロント１１と第２取付け部２６との間に形成された矩形小孔状の第３取付け部で、この錠箱１０の隅角部に形成された第３取付け部２７には、弱いバネ用の支持軸２８が取り付けられている。さらに、錠箱１０の下部の中央部には、矩形小孔状の第４取付け部２９が形成され、この第４取付け部２９には、ケース蓋固定用のメネジ支持杆３０が取り付けられている。このメネジ支持杆３０は、鎌片４３が錠箱内に戻った時に所定位置で止めるストッパー機能を有している（図２参照）。その他錠箱１０にはバネ支持具用の取付け部等が適宜に形成されている。
【００１６】
（４）施錠片
図８及び図９を参照にして施錠片６１を説明する。施錠片６１は、肉厚板状に形成された上下方向のスライド部材であり、少なくとも錠箱１０の側壁開口部１９を介して該錠箱１０内にその係合腕６９ａが挿入された押圧腕部材６９と係合可能な係合窓６３を有する。本実施例の係合窓６３は矩形状に形成されている。この係合窓６３を基準にすると、ラッチング機構Ｚ側には、前述した錠止腕６２が垂直状態に延びている。
【００１７】
一方、係合窓６３よりも上方部分には、錠箱１０の上壁内面に当接可能な突起部分６４が形成されている。さらに、係合窓６３よりも下方部分には、取付け座６７の連結杆６８と係合可能な下向きＵ字状の切欠部分６５が複数個並列に形成されている。
【００１８】
（５）トリガーとトリガーバネ
図４乃至図６を参照にしてトリガー３１を説明する。図４はトリガー３１の正面図、図５はその左側面図、図６は図４の６−６線断面図である。トリガー３１は錠箱１０内に摺動自在に装着されている。このトリガー３１は、長杆状先端部３２と、この突出先端部３２に幅広に連設する幅広状後端部３３とから成り、図２で示すように引戸が開いている時は、前記先端部３２は錠箱１０のフロント１１から突出する。
【００１９】
しかして、３４は前記幅広後端部３３の上辺の先端部分に傾斜状に形成された摺接面、３５はこの傾斜状摺接面３４に続く爪状の仮止め用係合部分である。この摺接面３４及び仮止め用係合部分３５は、ラッチング機構Ｚを構成するラッチ板用の第１係合部分に相当し、前者３４はラッチ板５３を誘導し、一方、後者３５の垂直面３５ａは閉戸時にラッチ板５３を係止する。
【００２０】
なお、前記ラッチ板５３用の第１係合部分３５には、短杆或いは長杆状先端部３２と幅広状後端部３３との境目に相当する段差部分の垂直面３５ｂも含まれる。したがって、第１係合部分３５は、一辺に段差状に複数個形成されている。
【００２１】
また、３６は幅広後端部３３の下辺の先端部分に下向きＵ字形状に形成された第２係合部分で、この第２係合部分には、鎌片の可動軸２１が摺接自在に係合する。また、３７は幅広後端部３３の後端面からその内部にかけて横溝状に形成されたバネ嵌合部分で、このバネ嵌合部分３７にはトリガーバネ３８の先端側が組み込まれている。
【００２２】
ここで、図２，図８を参照にしてトリガーバネ３８について説明する。トリガーバネ３８は幅広後端部３３とケース身１０ａの後壁との間に横方向に組込まれ、その先端部が幅広後端部３３のバネ嵌合部分３７の内面に適宜に圧接し、一方、後端部は後壁に固定的に設けられたバネ支持具３９に支持されている。したがって、トリガー３１は、トリガーバネ３８のバネ力により、その先端部３２の一部が常時フロント１１から突出するように付勢されている。
【００２３】
また、幅広後端部３３の側壁中央部には突起４０が設けられ、該突起４０は錠箱１０に設けられたトリガーガイド（図示しない）に案内される。本実施例のトリガー３１は、その先端部３２が角筒状のトリガー支持部材１５に常に嵌入している。したがって、トリガー３１はトリガー支持部材１５及び前記突起４０に案内されて安定的に進退動する。
【００２４】
さらに、幅広後端部３３の後側の上部には、前述した押圧腕部材６９により上下動する施錠片６１の錠止腕６２と係合する第３係合部分４１が形成されている。この第３係合部分４１は、仮止め用係合部分３５よりも低い位置にある。
【００２５】
加えて、幅広後端部３３の前記第３係合部分４１の垂直錠止面４１ａの前方には、該幅広後端部３３の先端面３３ａに至る水平方向のガイド横溝４２が形成されている。このガイド横溝４２は、本施錠時、すなわち、閉戸時、図９で示すように、係合腕部分６９ａ及び操作板６９ｂを含む押圧腕部材６９がスイングし、その結果、施錠片６１の錠止腕６２がガイド横溝４２に係合状態になった場合に於いて、引戸１をチリがなくなる方向へ閉めた時に、ストライク４の面によって押圧されるトリガー３１及びこれに連動する鎌片４３が錠箱内に後退することができるように前記錠止腕６２を案内する。
【００２６】
（６）鎌片
鎌片４３は全体として人差し指を折り曲げた形態をしており、その幅広基部４３ａの縁部には可動軸２１が突設されている。前述したように、可動軸２１は錠箱１０の横長案内長孔２０に係合している。また鎌片４３の基部４３ａには鎌片長孔４４が形成されている。鎌片４３は、該鎌片長孔４４を貫通する固定軸２３に軸支されている。したがって、鎌片４３がトリガー３１に連動するための動力変換機構は、トリガー３１の第２係合部分３６と鎌片４３の可動軸２１で構成されているから、極めてシンプルな構成となっている。
【００２７】
ところで、前記鎌片長孔４４はチリ調整機能を有する。この鎌片長孔４４は、横長案内長孔２０の直線案内部２０ｂと相俟って、引戸１の閉戸時であっても、換言すれば、鎌片４３の鉤状先端部４０ｂがストライク４に係合（掛合）のままであっても、引戸１をさらに閉めると、鎌片４３の基部４３ａ側を錠箱１０内に後退させることができる。
【００２８】
（７）ラッチング機構の配設箇所と具体的構成
図８で示すように、フロント１１の内壁面と施錠片６１の錠止腕６２側とで区画された空間部分７にトリガー３１と係脱可能なラッチ板５３を有するラッチング機構Ｚが配設されている。
【００２９】
鎌片４３を仮施錠状態にする、又は仮施錠状態を解消するラッチング機構Ｚは、錠箱１０内の空間部分に設けられた一組のユニット部材である。該ユニット部材Ｚは、図７で示すように、垂直方向に移動可能な枠状の支持片５１と、この支持片５１に水平可動軸５２を介して軸支され、かつ、トリガー３１の一辺に形成された仮止め用係合部分３５と係合可能な係止爪部５３ａを有するラッチ板５３と、前記支持片５１に前記水平可動軸５２を介して組み込まれ、かつ、前記ラッチ板５３を係合可能に位置へ付勢する仮止め用バネ５４とから成る。
【００３０】
前記支持片５１は、仮止め用バネ５４よりもバネ力が弱く設定された錠箱内装の支持片用バネ５７により、該支持片５１と一体的なラッチ板５３がトリガー３１に係合する方向へ付勢されている。
【００３１】
また、前記ラッチ板５３は、水平可動軸５２用の軸孔の回りに前記バネ５４装着用の溝５５を有すると共に、前記係止爪部５３ａとは反対側に延びるバネ端５４ａ用の突起状支持部分６９ｂを有している。
【００３２】
また、前記仮止め用バネ５４の他端部５４ｂは支持片５１の上壁部分に形成したバネ端支持孔に支持されている。さらに、前記支持片５１には、支持軸２８に中央部が巻装された弱いバネ（仮止め用バネ５４に比してバネ力が弱い）５７の一端部が圧接している。
【００３３】
ところで、本実施例のユニット部材Ｚは、水平移動するトリガー３１を基準にすると、鎌片４３が軸支された空間部分とは反対側の空間部分に設けられている。また、前述したように、ユニット部材は、錠箱１０の内壁面に固定され得る支持片用ガイド部材５６を含み、一組のユニット部材を構成している。それ故に、ユニット部材Ｚを極めて簡単に錠箱１０内に取り付けることができる。
【００３４】
（８）ラッチング機構Ｚの作用
図７はラッチング機構Ｚの仮施錠状態に至る概略説明図である。したがって、ラッチング機構Ｚの仮施錠状態が解消する場合は、図７とは逆の作動態様となる。また、図８は、鎌片４３、引戸１等も含めた全体の動きを示す概略説明図である。
【００３５】
まず、図２と図８とを対比すると明らかなように、図２は引戸１を矢印Ａ方向に閉める途中に於いて、トリガー３１の先端部３２がストライク４に当たる寸前を示しているのに対し、図８はトリガー３１がトリガー支持部材１５及び前記突起４０に案内されて錠箱１０内に後退し、該トリガー３１の後退動に連動して鎌片４３が固定軸２３を支点に時計（掛合）方向に回転し、その結果、鎌片４３の先端部４３ａがストライク４に係合した状態を示している。
【００３６】
図２から図８の閉戸時状態になる過程に於いて、ユニット部材Ｚを構成する支持枠５１、水平可動軸５２、ラッチ５３等は、ラッチ５３が後退動するトリガー３１の傾斜状摺接面３４に押圧されると、支持枠用の弱いバネ５７のバネ力に抗して上方に移動し、その係止爪部５３ａが摺接面３４を乗り越えると、引戸１の所定のチリを有する閉鎖位置にて、今度は弱いバネ５７のバネ力により下方に移動する。
【００３７】
したがって、前記係止爪部５３ａはトリガー３１の仮止め用係合部分３５自動的に係合する。これが仮施錠状態である。この時、ラッチ５３は錠箱１０に案内される水平可動軸５２を介して上下動する反面、反時計方向へは回転しない。それはラッチ５３の突起状支持部分６９ｂが支持枠５１の左側垂直壁の内面に支持されているからである。
【００３８】
それ故に、引戸１を開いた場合には、トリガーバネ３８のバネ力により錠箱１０から進出するトリガー３１の第１係合部分３５により、ラッチ５３は、強いバネ５４のバネ力に抗して図８で示す矢印Ｂ（時計方向）に回転し、その結果、仮施錠状態が解消する。
【００３９】
（９）閉戸時及び本施錠状態
図１０（ａ）は、通常の閉戸時に於いて、例えば内側の取付け座６７の操作板６９ｂをプッシュして押圧腕部材６９の係合腕部分６９ａが下方方向へ揺動し、その結果、施錠片６１が矢印Ｃで示す下方方向へスライドしてその錠止腕６２がガイド横溝４２に係合状態になった場合である。
【００４０】
一方、図１０（ｂ）は、前記（ａ）の本施錠状態に於いて、引戸１を、さらにチリがなくなる方向へ閉め時である。引戸錠Ｘはチリ調整機能を有する（例えば鎌片長孔４４）。したがって、所定のチリを有する閉鎖位置にて、引戸１を閉めた場合には、トリガー３１はストライク４の面によって押され、これに連動する鎌片４３は、錠箱１０の横長案内長孔２０の直線案内部２０ｂ及び鎌片４３の鎌片長孔４４の両者に案内される固定軸２３を介してトリガー３１と一緒に錠箱１０内に後退する。こ時、ガイド横溝４２は、前述したように幅広後端部３３が錠止腕６２と干渉しないように該錠止腕６２を案内する機能を発揮する。
【特許文献１】実開昭５７−１１０２６０号公報
【特許文献２】特開２００２−３２２８５０号公報
【発明の開示】
【発明が解決しようとする課題】
【００４１】
図１ないし図１０に示した先願発明は、図１１で示すような問題点があった。
【００４２】
すなわち、開扉状態に於いて、仮に悪戯により、トリガー３１が指で押されると、これに連動する鎌片４３はフロント１１から突出する、この時、戸枠２から引戸１が離れている場合であっても、閉戸時にトリガー３１がストライク４の表面に押圧される場合と道理が同じであることから、ラッチング機構Ｚの仮施錠機能が働き、ラッチ板５３はトリガー３１の段階的な仮止め用係合部分３５に係合する。しかも、ラッチング機構Ｚのラッチ板５３を付勢するバネ５４等は、ラッチ板５３が係合部分３５（例えば３５ａ）に係合する方向に働いていると同時に、トリガーバネ３８も矢印で示すようにトリガー３１を常時押圧していることから、鎌片４３が自動的に戻らないという事態が発生し得る。
【００４３】
したがって、このような場合には、外部から強制的に仮施錠状態を解除する必要がある。
【００４４】
本発明の主たる目的は、上記のように、開扉時、悪戯等の原因により、鎌片４３が錠箱１０のフロントから突出し、しかも、ラッチング機構Ｚの仮施錠状態が働いている場合に於いて、外部から仮施錠状態を強制的に解除することである。第２の目的は、錠箱内の空間を有効的に活用することである。そのために、ラッチング機構Ｚを構成する部材を合理的にユニット化することである。その他の目的は、従属項によって特定される。
【課題を解決するための手段】
【００４５】
本発明の引戸錠は、引戸を閉めると、戸枠側の受け金具に当たって錠箱内に後退するトリガー、固定軸に軸支されかつトリガーの後退動に連動して前記受け金具に係合する方向へ回転する鎌片をそれぞれ備える引戸錠に於いて、前記トリガーの一辺に形成した仮止め用係合部分に係合するラッチ板５３を備えたラッチング機構Ｚを錠箱内に配設し、一方、該ラッチング機構の前方に位置する錠箱のフロント１１の部位に開口部１１ａを形成し、この開口部とラッチング機構Ｚの構成部材との間の空間部分７にラッチ強制解除手段７１を配設し、該ラッチ強制解除手段の前記開口部側に位置する操作部分７１ａを外部から操作して前記ラッチ板を強制的に解除し得ることを特徴とする。その他の限定可能な特徴事項は、従属項に記載されている。
【発明の効果】
【００４６】
（１）悪戯等による開扉時の仮施錠状態を、外部から手動により操作して解除することができる。
（２）前記（１）の解除は、フロントの開口部を介して簡単に行うことができる。
（３）ラッチ強制解除手段を構成する部品点数が少ない。
（４）請求項４に記載の発明は、工具Ｔの先端部が操作部分７１ａに係合するので、確実かつ容易にラッチ強制解除手段７１を動かすことができる。
（５）請求項５に記載の発明は、錠箱内の空間部分を有効利用が可能となり、少ないスペースにラッチ強制解除手段を配設することができる。
【発明を実施するための最良の形態】
【００４７】
図１２乃至図１９に示す本願発明の一実施例を説明する。なお、背景技術の欄で説明したように、本願発明の説明にあたっては、図１乃至図１０の先願発明の構成・作用効果をそのまま援用し、本願発明の特徴部分に絞って説明する。したがって、構成上の同一部分には、同一又は同様の符号を付して重複する説明を省略する。
【００４８】
（ａ）特徴その１…ラッチ強制解除手段
本願発明の特徴部分は、先願発明の基本的な構成部材（トリガー、鎌片、ラッチング機構Ｚなど）及び作用を前提にした上で、ラッチング機構Ｚの前方に位置する錠箱１０のフロント１１の部位に開口部１１ａを形成し、この開口部１１ａとラッチング機構Ｚの構成部材との間の空間部分７に可動可能なラッチ強制解除手段７１を配設し、該ラッチ強制解除手段７１の前記開口部１１ａ側に位置する操作部分７１ａを外部から操作してラッチング機構Ｚのラッチ板５３を強制的に解除し得るように構成したことである。
【００４９】
本実施例のラッチ強制解除手段７１は、図１５で示すように、錠箱１０の上方の隅部に軸孔７３を介して軸架された横軸７２に回転自在に軸支され、その形状は、正面視を基準にした場合、指、例えば親指と人差し指の二本の指を下向きにして開いたような外観形状をし、一方の指（親指に相当）７１ａはフロント１１の開口部１１ａ側に位置する操作部分であり、一方、他方の指（人差し指に相当）７１ｂはラッチ板５３を軸支する可動支持板５１の内部に該支持板５１を持ち上げることができるように係合している。つまり、ラッチ強制解除手段７１は、操作部分７１ａと係合部分７１ｂを有している。
【００５０】
なお、操作部分７１ａとしての一方の指の外面には、工具Ｔの先端部が係合する係合部（例えば溝、孔等）７４が形成されている。また、図１２、図１３で示すように、フロント１１の開口部１１ａの直ぐ上方には、接着層を介してラッチ解除ボタンを意味する目印７５が付されている。
【００５１】
上記構成に於いては、ドライバー等の押し込み可能な工具Ｔで、開口部１１ａに位置している指７１ａを押し込む。本実施例では、この時、ドライバーの先端部が係合溝７４に係合し、そう簡単には指７１ａから外れない。指７１ａを押し込むと、図１９で示すように、ラッチ強制解除手段７１は横軸７２を支点に反時計方向に回転する。
【００５２】
したがって、可動支持板５１は、垂直軸部材５６に案内されながら、かつ、弱いバネ５７のバネ力に抗しながら、係合解除の方向へ上昇する。それ故に、ラッチ板５３は、トリガー３１から強制的に解除される。トリガー３１はラッチ板５３から解放されると、トリガーバネ３８のバネ力により突出し、これに連動する鎌片４３は錠箱１０内へと戻る。
【００５３】
（ｂ）特徴その２…ラッチング機構Ｚ
ラッチング機構Ｚは、ユニット部材であり、該ユニット部材は、水平可動軸５２を有すると共に、垂直方向に移動可能な枠状支持片５１と、前記水平可動軸に軸支され、かつ、トリガー３１の一辺に形成された段差状の複数個の仮止め用係合部分３５（図１７，図１８を参照）と係合可能な係止爪部５３ａを有するラッチ板５３と、前記可動支持片５１に組み込まれ、かつ、前記ラッチ板を係合可能な位置へ付勢する仮止め用バネ５４とを含み、さらに、可動支持片５１を常時付勢する弱いバネ５７は、可動支持片５１を上下方向に案内するガイド部材（垂直軸部材）５６に巻装されている。
【００５４】
したがって、錠箱１０の少ない内部空間の有効利用が可能となり、錠箱１０のフロント１１とラッチング機構Ｚの構成部材との間の狭いスペース７にラッチ強制解除手段７１を可動可能に配設することができる。
【実施例】
【００５５】
本願発明は、先願発明の構成の主要部をそのまま含み、「悪戯による開扉時の仮施錠を外部から手動で強制的に解除すること」ということが本発明の主たる目的となっている。したがって、ラッチ強制解除手段７１を、横軸７２を介して回転自在に設けたことは一例であり、例えばラッチ板５３の係合を解除させるために、ラッチ強制解除手段７１を錠箱１０内に図示しない案内部材を介して上下方向にスライド自在に設けても、このような実施例は均等事項である。
【産業上の利用可能性】
【００５６】
本発明は、主に錠前や建具の業界で利用される。
【図面の簡単な説明】
【００５７】
図１乃至図１０は本願発明が援用する先願発明の構成を示す各説明図である。図１１は、先願発明の問題点を示す概略説明図。図１２乃至図１９は本願発明の一例を示す各説明図である。
【図１】先願発明の実施形態の一例を示す斜視図（取付け座は省略）。
【図２】引戸を開いた一例の内部構造を示す概略説明図。
【図３】ケース身の正面図。
【図４】トリガーの正面図。
【図５】トリガーの左側面図。
【図６】図４の６−６線断面図。
【図７】主要部の作用を示す概略説明図。
【図８】引戸を閉める途中の概略説明図。
【図９】取付け座、押圧腕部材、施錠片等の組合せを示す概略説明図。
【図１０】（ａ）は引戸の閉戸時に於いて、施錠片の錠止腕がトリガーのガイド横溝に係合した状態の概略説明図。（ｂ）は前記（ａ）の本施錠状態に於いて、引戸を、さらにチリがなくなる方向へ閉め時の概略説明図。
【図１１】先願発明の問題点を示す概略説明図
【図１２】本願発明の実施形態の一例を示す斜視図（取付け座は省略）。
【図１３】本願発明をフロント側から見た説明図。
【図１４】図２と同様の概略説明図。
【図１５】主要部（ラッチ強制解除手段を含む）の概略説明図。
【図１６】図１５に於いて、縦断面概略説明図。
【図１７】ラッチ板が段階的（第一段階）に係合する概略説明図。
【図１８】ラッチ板が段階的（第二段階）に係合する概略説明図。
【図１９】ラッチ板を強制解除する場合の概略説明図。
【符号の説明】
【００５８】
Ｘ…引戸錠、Ｙ…受け金具、Ｚ…ラッチング機構、１…引戸、２…戸枠、３…トロヨケ、４…ストライク、５，１３…固着具、７…空間部分、１０…錠箱、１０ａ…ケース身、１１…フロント、１２…フロント前壁、１４…出入り窓、１５，１５Ａ…トリガー支持部材、１６…位置決め用突起、１８…貫通孔、１９…側壁開口部、２０…横長案内長孔、２１…可動軸、２２…円形軸孔、２３…固定軸、２４，２６，２７，２９…取付け部、２８…支持軸、２５…垂直案内長孔、３１…トリガー、３２…長杆状先端部、３３…幅広状後端部、３４…摺接面、３５…仮止め用係合部分（第１係合部分）、３５ａ，３５ｂ…垂直面、３６…第２係合部分、３７…バネ嵌合部分、３８…トリガーバネ、３９…バネ支持具、４０…突起、４１…第３係合部分、４１ａ…垂直錠止面、４２…ガイド横溝、４３…鎌片、４３ａ…基端部、４３ｂ…先端部、４４…鎌片長孔、５１…支持片、５２…水平可動軸、５３…ラッチ板、５３ａ…係合爪部、５４…ラッチ板用バネ（強いバネ）、５６…支持片用ガイド部材、５７…支持片用バネ（弱いバネ）、６１…施錠片、６２…施錠腕、６３…係合窓、６４…突起部分、６５…切欠部分、６７…取付け座、６８…連結杆、６９…押圧腕部材、６９ａ…係合腕部分、６９ｂ…操作部分、７０…切欠部、Ａ，Ｂ，Ｃ…矢印、１１ａ…フロントの開口部、７１…ラッチ強制解除手段、７１ａ…操作部分、７１ｂ…係合部分、７２…横軸、７３…軸孔、Ｔ…工具、７４…係合部（例えば溝、孔等）。
【図１】
2006225979.tif 000003
【図２】
2006225979.tif 000004
【図３】
2006225979.tif 000005
【図４】
2006225979.tif 000006
【図５】
2006225979.tif 000007
【図６】
2006225979.tif 000008
【図７】
2006225979.tif 000009
【図８】
2006225979.tif 000010
【図９】
2006225979.tif 000011
【図１０】
2006225979.tif 000012
【図１１】
2006225979.tif 000013
【図１２】
2006225979.tif 000014
【図１３】
2006225979.tif 000015
【図１４】
2006225979.tif 000016
【図１５】
2006225979.tif 000017
【図１６】
2006225979.tif 000018
【図１７】
2006225979.tif 000019
【図１８】
2006225979.tif 000020
【図１９】
2006225979.tif 000021